(57)【要約】  本発明は、ディスプレイ画面と共に用いるディスプレイ筐体である。ディスプレイ筐体は、後筐体部分と、後筐体部分に接続可能な前フレームと、を含む。前フレームは、ディスプレイ画面が前フレームと後筐体部分との間に配置された場合、ディスプレイ画面が視認可能である開口部を規定する。ディスプレイ筐体は、フィルタ媒体をディスプレイ画面と前フレームの前縁部との間に保持する保持要素も含む。
2008532098.tif 000002
【特許請求の範囲】
【請求項１】
ディスプレイ画面と共に用いるディスプレイ筐体であって、
後筐体部分と、
前記後筐体部分に接続可能な前フレームと、
フィルタ媒体を前記ディスプレイ画面と前記前フレームの前縁部との間に取り外し可能に保持する保持要素とを備え、
前記前フレームは、前記ディスプレイ画面が前記前フレームと前記後筐体部分との間に配置されたときに前記ディスプレイ画面を視認できる開口部を形成し、
前記保持要素は、前記フレーム、前記後筐体部分、または前記前フレームと前記後筐体部分との間に形成されたスロットを備える、
ディスプレイ筐体。
【請求項２】
前記保持要素は、前記開口部に隣接して前記前フレームに形成された第１および第２のトラックをさらに備え、それらトラックが、前記フィルタ媒体を取り外し可能に受容する側壁内で前記スロットと位置合わせされている、請求項１に記載のディスプレイ筐体。
【請求項３】
前記スロットが、前記第１および第２のトラックに対応する第１および第２の端部を備え、前記第１および第２のトラックのうちの少なくとも一方が、前記スロットの前記対応する端部と位置合わせされていない、請求項２に記載のディスプレイ筐体。
【請求項４】
前記第１および第２のトラックの少なくとも一方が、スロープにより前記スロットの前記対応する端部から分離されている、請求項３に記載のディスプレイ筐体。
【請求項５】
前記第１および第２のトラックの少なくとも一方が、段差により前記スロットの前記対応する端部から分離されている、請求項３に記載のディスプレイ筐体。
【請求項６】
前記保持要素は、フィルタ媒体を前記スロット内に取り外し可能に固定する手段をさらに備える、請求項１に記載のディスプレイ筐体。
【請求項７】
前記前フレームは、前記スロットに隣接する壁に窪みを有し、前記フィルタ媒体を保持したときに、前記フィルタ媒体の一部分が、該窪みにおいて露出する、請求項１に記載のディスプレイ筐体。
【請求項８】
前記前フレームは、前記スロットとは反対側の壁に窪みを有し、前記フィルタ媒体を保持したときに、前記フィルタ媒体の一部分が、該窪みにおいて露出する、請求項１に記載のディスプレイ筐体。
【請求項９】
前記スロットは、前記前フレームの頂壁、左壁または側壁に形成される、請求項１に記載のディスプレイ筐体。
【請求項１０】
前記後筐体部分は、前記ディスプレイ画面の背後にフィルタ媒体を保持するための、少なくとも１つの追加の保持要素を備える、請求項１に記載のディスプレイ筐体。
【請求項１１】
前記保持要素は、複数のフィルタ媒体を取り外し可能に保持するように構成されている、請求項１に記載のディスプレイ筐体。
【請求項１２】
請求項１に記載のディスプレイ筐体と、前記開口部を介して視認可能であるように前記ディスプレイ筐体内に配置されたディスプレイ画面と、を備えるディスプレイシステム。
【請求項１３】
前記スロット内に配置されるフレームインサートをさらに備え、前記フィルタ媒体が該フレームインサート内に配置される、請求項１２に記載のディスプレイシステム。
【請求項１４】
前記スロット内に配置されるフィルタ媒体をさらに備え、該フィルタ媒体が少なくとも１つのタブを備える、請求項１２に記載のディスプレイシステム。
【請求項１５】
前記前フレームが、前記スロットに隣接するかまたは反対側の壁に窪みを有し、前記フィルタ媒体のタブが該窪みにおいて露出する、請求項１４に記載のディスプレイシステム。
【請求項１６】
コンピュータ基部をさらに備え、該コンピュータ基部が、フィルタ媒体を取り外し可能に保持する少なくとも１つの追加の保持要素を備える、請求項１２に記載のディスプレイシステム。
【請求項１７】
ディスプレイ画面と共に用いるディスプレイ筐体であって、
後筐体部分と、
前記後筐体部分に接続可能な前フレームと、
フィルタ媒体を前記ディスプレイ画面と前記前フレームの前縁部との間に取り外し可能に保持する保持要素とを備え、
前記前フレームは、左壁と、右壁と、頂壁と、底壁とを備えるとともに、前記ディスプレイ画面が前記前フレームと前記後筐体部分との間に配置されたときに前記ディスプレイ画面を視認できる開口部を形成し、
前記保持要素は、前記左壁に取り付けられた第１のガイドレールと、前記右壁に取り付けられた第２のガイドレールと、前記底壁に取り付けられた受容レールとを備え、前記第１のガイドレールと前記第２のガイドレールと前記受容レールとが、１つ以上のフィルタ媒体を取り外し可能に受容するように接続されて構成される、ディスプレイ筐体。
【請求項１８】
前記第１および第２のガイドレールの各々が、ヒンジ連結された頂部分を備える、請求項１７に記載のディスプレイ筐体。
【請求項１９】
前記ヒンジ連結部分の端部が、前記頂壁に隣接しているかまたは前記頂壁と重なっている、請求項１８に記載のディスプレイ筐体。
【請求項２０】
前記第１および第２のガイドレールの端部が、傾斜壁を有する開口を形成する、請求項１７に記載のディスプレイ筐体。
【請求項２１】
前記後筐体部分が、前記ディスプレイ画面の背後にフィルタ媒体を保持するための少なくとも１つの追加の保持要素を備える、請求項１７に記載のディスプレイ筐体。
【請求項２２】
請求項１７に記載のディスプレイ筐体と、前記開口部を介して視認可能であるように前記ディスプレイ筐体内に配置されたディスプレイ画面と、を備えるディスプレイシステム。
【請求項２３】
前記ガイドレールの下に配置され、上フレーム部分を有するフィルタ媒体をさらに備える、請求項２２に記載のディスプレイシステム。
【請求項２４】
前記第１および第２のガイドレールの上端が、傾斜壁を有する開口を形成し、前記上フレーム部分が、該開口に嵌合する構成を有する、請求項２３に記載のディスプレイシステム。
【請求項２５】
コンピュータ基部をさらに備え、該コンピュータ基部が、フィルタ媒体を取り外し可能に保持するための少なくとも１つの追加の保持要素を備える、請求項１７に記載のディスプレイシステム。
【発明の詳細な説明】
【技術分野】
【０００１】
本発明は、１つまたは複数のフィルタ媒体を取り外し可能に保持することができる保持装置を含むディスプレイ筐体を有する視認装置に関する。
【背景技術】
【０００２】
コンピュータモニタおよびテレビジョンなどの視認装置は、冷陰極線管（ＣＲＴ）ディスプレイ、液晶ディスプレイ（ＬＣＤ）、およびプラズマディスプレイなどの多様なモデルで利用可能である。視認装置の開発の傾向は、携行性の利点を提供する、より軽量且つ薄型のディスプレイ（例えばＬＣＤおよびプラズマディスプレイ）を提供することに焦点が当てられている。これは特にノートブックコンピュータ・ディスプレイなどのコンピュータモニタに関して当てはまる。
【０００３】
視認装置、特にコンピュータモニタに関する共通な欠点は、頭痛、眼の刺激、さらには視覚障害などの物理的問題が視認装置の長時間使用から生じ得るということである。これはコンピュータ視覚症候群（ＣＶＳ）として知られている。この問題を解決する１つの試みは、通例外部フィルタ装置内に設けられているフィルタ媒体の使用によるものである。様々なフィルタ媒体を用いてぎらつきを低減し、コントラストを向上し、画面を保護しまたは画面プライバシーを提供することができる。外部フィルタ装置は通例、フィルタ媒体を保持する筐体要素を含む。外部フィルタ装置は、フィルタ媒体がディスプレイ画面の前に配置されるように視認装置のディスプレイ筐体に載置される。しかしこれはそのような外部フィルタ装置がノートブックコンピュータの使用の携行性と容易性を低減する可能性があるため、ノートブックコンピュータ・ディスプレイなどの多くの視認装置に対して問題を生じる。
【０００４】
さらに外部フィルタ装置は、外部フィルタ装置が載置される個々のディスプレイの色、材料、質感、およびサイズと一致しない場合がある。外部フィルタ装置は通例、一般的な色（例えばグレーまたはオフホワイト）およびサイズ（画面サイズに基づく）を有し、それらが一緒に使用されるディスプレイとは明らかに異なる場合がある。これにより外部フィルタ装置がディスプレイに載置された場合ディスプレイの美的品質を低下する。したがってシステムがフィルタ媒体をディスプレイと一緒に保持し、ディスプレイの美的品質と携行性とを守ることができるようにする必要がある。
【発明の開示】
【課題を解決するための手段】
【０００５】
本発明は、ディスプレイ画面と共に用いるディスプレイ筐体を対象とする。ディスプレイ筐体は、後筐体部分と、後筐体部分に接続可能な前フレームと、を含む。前フレームは、ディスプレイ画面が前フレームと後筐体部分との間に配置された場合、ディスプレイ画面が視認可能である開口部を規定する。ディスプレイ筐体はフィルタ媒体をディスプレイ画面と前フレームの前縁部との間に保持する保持要素も含む。
【０００６】
上記の図面は本発明のいくつかの実施形態を説明しているが、説明で述べたように他の実施形態も考えられる。すべての場合において本開示は限定ではなく代表として本発明を提示する。なお本発明の原理の範囲および要旨内にある多数の他の変更例および実施形態は当業者により考案され得る。図面は同一の縮尺ではない場合がある。同様な参照符号を図面を通して用いて同様の部分を示している。
【発明を実施するための最良の形態】
【０００７】
図１はフィルタ媒体１２と共に用いるノートブックコンピュータ１０の正面斜視図であり、ノートブックコンピュータ１０は本開示のコンピュータ基部１４と例示的ディスプレイ１６とを含む。コンピュータ基部１４は任意の従来のノートブックコンピュータ基部であり得るとともに、従来の方法でディスプレイ１６に接続できる。例示的ディスプレイ１６はノートブックコンピュータ・ディスプレイであるとともに、ディスプレイ筐体１８と画面２０とを含む。以下に説明するように、ディスプレイ筐体１８はノートブックコンピュータ１０と共に用いるフィルタ媒体１２を取り外し可能に保持可能である。これによりノートブックコンピュータ１０の美的品質を保ちつつ且つ外部フィルタ載置装置を必要とせずに必要に応じてフィルタ媒体１２を使用および取り外しできる。
【０００８】
ディスプレイ筐体１８は後筐体部分２２と前フレーム２４とを含む。後筐体部分２２はノートブックコンピュータ・ディスプレイの従来の後筐体部分であってもよい。前フレーム２４は後筐体部分２２に接続されているとともに、頂壁２６と底壁２８と左壁３０と、右壁３２とを含み、それらのすべてがディスプレイ１６の前面において開口部３４を規定する。
【０００９】
この例示的実施形態において、画面２０は、ノートブックコンピュータ用の従来のＬＣＤディスプレイ画面であるとともに、後筐体部分２２と前フレーム２４との間に配置されている。画面２０を従来の方法でディスプレイ筐体１８内に固定することができる。例えば画面２０を後筐体部分２２に固定し得るとともに、前フレーム２４を用いて画面２０の前縁部を支持するとともに保護し得る。画面２０は開口部３４を介してユーザに見える。代替的には、画面２０を前フレーム２４に固定することができるか、または画面２０を前フレーム２４と後筐体部分２２との間に固定することができる。
【００１０】
フィルタ媒体１２は画面２０の出力をフィルタ処理する、または他の方法で視認者が見るものを変更する任意の適当なフィルムであり得る。フィルタ媒体１２用の適当なフィルムの例には、ぎらつき低減フィルタ、コントラストフィルタ、プライバシーフィルタ、静電荷散逸フィルタ、着色フィルタ、画面保護フィルタ、およびそれらの組み合わせがある。フィルタ媒体１２用の適当な市販のフィルタの例には、ミネソタ州セントポール（Ｓｔ．Ｐａｕｌ，ＭＮ）のスリーエム・コーポレーション（３Ｍ  Ｃｏｒｐｏｒａｔｉｏｎ）から市販されているプライバシーフィルタがある。フィルタ媒体１２は、少なくとも完全に開口部３４にわたって延びる画面２０に平行な面内の寸法を示すことが望ましい。
【００１１】
以下の例示的実施形態の説明で検討するように、ディスプレイ筐体１８はフィルタ媒体１２をディスプレイ筐体１８内に取り外し可能に保持する保持要素（図１には図示せず）を含む。このようにフィルタ媒体１２を画面２０の前に取り外し可能に保持することができる。この配置により外部載置フィルタ装置を必要とせずに画面２０の出力をフィルタ処理することができる。これに対して本開示により構成されたディスプレイ筐体１８はノートブックコンピュータ１０の一部であり得る。このようにノートブックコンピュータ１０が閉じられてもフィルタ媒体１２を都合よく保持し得る。
【００１２】
さらにまたディスプレイ筐体１８内にフィルタ媒体１２を保持することにより、フィルタ媒体１２を画面２０の比較的近くに配置することもできる。しかしフィルタ媒体１２が画面２０を傷付けたりまたは他の方法で損傷しないように注意しなければならない。とはいえ近接近は画面２０に近接配置した場合、より効果的である多様な媒体に有益である。フィルタ媒体１２はディスプレイ筐体１８内で画面２０と前フレーム２４の前縁部との間に好適に配置されている。前フレーム２４の前縁部は、画面２０から画面２０に直交する方向にさらに延びる前フレーム２４の縁部として規定される。フィルタ媒体１２と画面２０との間の実際の距離はディスプレイ筐体１８の寸法に応じて変化し得る。
【００１３】
さらにディスプレイ筐体１８はディスプレイ１６の実際のディスプレイ筐体である。外部ディスプレイ装置とは対照的に、ディスプレイ筐体１８は色、材質、質感、およびサイズがコンピュータ基部１４と対応し得る。このようにコンピュータ基部１４およびディスプレイ１６は均一に製造されたように見え、ノートブックコンピュータ１０の美的品質を保つ。
【００１４】
図２Ａ〜８はディスプレイ筐体１８内にフィルタ媒体１２を受容するとともに取り外し可能に保持する、ディスプレイ筐体１８の保持要素の異なる例示的実施形態を図示する。図２Ａは前フレーム２４の右壁３２を介して挿入されているフィルタ媒体１２を示す、ノートブックコンピュータ１０の正面斜視図である。これは方向矢印３６により示されている。図示のように、フィルタ媒体１２は先端縁３８を含む。先端縁３８は、フィルタ媒体１２が画面２０の前に配置されるまで右壁３２を介して開口部３４内に摺動する。この実施形態において、フィルタ媒体１２は前フレーム２４内に取り外し可能に保持されるため、多数のフィルタ媒体をディスプレイ１６と共に交換可能に用いることができる、または必要に応じてユーザにフィルタを使用しない選択肢を提供する。これにより本発明の汎用性が増す。
【００１５】
図２Ａにさらに示すように、前フレーム２４の頂壁２６は、ノートブックコンピュータ１０が閉じられた場合にコンピュータ基部１４に止まる従来のノートブックコンピュータ係止機構である係止機構３９を含む。本実施形態は係止機構３９が前フレーム２４の頂壁２６上に係止される場合に有用である。これは係止機構３９がフィルタ媒体１２の挿入を妨害することを防止する。
【００１６】
図２Ｂはディスプレイ１６の側面斜視図であるとともに、図２Ａの実施形態をさらに図示する。図示のように、前フレーム２４はトラック４０ａ〜４０ｃとスロット４１とを含み、そのすべてが前フレーム２４内に一体に形成される。追加的にまたは代替的にスロット４１を後筐体部分２２内、または前フレーム２４と後筐体部分２２との間に形成し得る。トラック４０ａ〜４０ｃは開口部３４内でそれぞれ頂壁２６、底壁２８、および左壁３０の内周に沿って延びている（トラック４０ａは仮想線により示されている）。前フレーム２４の右壁３２は開口部３４に隣接する前面４２と、後筐体部分２２に隣接する側面４４とを含む。スロット４１は側面４４から右壁３２を通って開口部３４内に延びている。スロット４１はトラック４０ａと整列している上端４６ａおよびトラック４０ｂと整列している下端４６ｂを含む。
【００１７】
フィルタ媒体１２はフィルタ媒体１２の先端縁３８をスロット４１内に摺動することにより前フレーム２４内に挿入される。そしてフィルタ媒体１２はスロット４１において右壁３２を介して、トラック４０ａおよび４０ｂに沿って開口部３４内に摺動される。トラック４０ａおよび４０ｂはフィルタ媒体１２を画面２０に接触せずに挿入することが可能であり、画面２０を傷付ける危険性を低減する。フィルタ媒体１２は、フィルタ媒体１２の先端縁３８がトラック４０ｃに到達するとともに進入するまで、トラック４０ａおよび４０ｂに沿って摺動される。完全に挿入されると、フィルタ媒体１２は画面２０の前に配置され、例えば上記したように光学フィルタとして使用される。さらにフィルタ倍値１２の縁部は前フレーム２４により隠れる。その結果、フィルタ媒体１２はディスプレイ筐体１８の一部として眼に見え、ディスプレイ１６の美的品質を保つ。
【００１８】
図２Ｂにさらに示すように、ディスプレイ筐体１８は右壁３２において後筐体部分２２および前フレーム２４内に窪み４８も含む。窪み４８によりユーザは、フィルタ媒体１２がディスプレイ筐体１８内に保持されている場合、フィルタ媒体１２を把持して取り外すことができる。窪み４８は図２Ｂに、スロット４１の上端４６ａと下端４６ｂとの間で中心を外れた箇所に示されている。以下に説明するように、中心を外れた箇所は、好適な配向を有するあるフィルタ媒体に有用である。例えば多くのフィルタ媒体はユーザに面するための特定の表面を必要とする。代替実施形態において、窪み４８は、スロット４１の上端４６ａと下端４６ｂとの間の右壁３２に沿った他の箇所に配置してもよい（例えば中心に配置）。
【００１９】
本実施形態は代替的にスロット４１が右壁３２の代わりに左壁３０を通って延びるように構成し得る。この構成において、フィルタ媒体１２はノートブックコンピュータ１０の左側から挿入されるが、その他は上記した右側挿入と同様な方法で機能する。
【００２０】
図２Ｃおよび２Ｄは図２Ｂ内の部分２Ｃの拡大図であり、トラック４０ｂおよびスロット４１の代替実施形態を図示する。図２Ｃに示すように、スロット４１の下端４６ｂ’はトラック４０ｂと位置合わせされていない。これは下端４６ｂがトラック４０ｂと位置合わせされている図２Ｂで上記した実施形態と対照的である。下端４６ｂ’はスロープ４９によりトラック４０ｂから離され、スロープ４９はスロット４１からトラック４０ｂへの傾斜接近を提供する。フィルタ媒体１２がスロット４１内に挿入されると、スロープ４９がフィルタ媒体１２の先端縁３８をトラック４０ｂ内に案内する。この配置は側面４４に沿ったスロット４１へのより長い入り口を提供し、フィルタ媒体１２をスロット４１内へ挿入するために必要な位置合わせ精度を低減する。同様な配置を、スロット４１の長さをさらに増加させるためにスロット４１の上端４６ａおよびトラック４０ａと共に、またはスロット４１の上端および下端の両方と共に用い得る。
【００２１】
図２Ｄに示すように、トラック４０ｂ’はスロット４１の下端４６ｂと位置合わせされていない。これも図２Ｂで上述した実施形態と対照的である。トラック４０ｂ’は段差５０で下端４６ｂと交差しており、フィルタ媒体１２を前フレーム２４内に固定する機構を提供する。フィルタ媒体１２がスロット４１内に摺動すると、フィルタ媒体１２は段差５０を過ぎた後トラック４０ｂ’内に落ちる。そしてフィルタ媒体１２は段差５０により前フレーム２４内に固定される。フィルタフレーム１２を単に横方向に引っ張るだけではフィルタ媒体１２を前フレーム２４から外せない。その代わりフィルタ媒体１２を取り外すために、ユーザはまずフィルタ媒体１２を持ち上げて段差５０をクリアし、その後フィルタ媒体１２を前フレーム２４から横方向に引っ張らなければならない。
【００２２】
図２Ｄで説明した実施形態に加えて、フィルタ媒体１２は多様な方法で前フレーム２４内に取り外し可能に固定し得る。例えば右壁３２は、フィルタ媒体１２が完全に挿入された後スロット４１を包み込むカバーパネル（図示せず）を含み得る。カバーパネルは、開閉してスロット４１へのアクセスを提供するラッチまたはヒンジ連結扉であり得る。例えばカバーパネルはＰＣＭＣＩＡカードスロット用のものと同様な自動閉鎖パネルであり得る。カバーパネルはディスプレイパネル１８と美的に一致するとともに、右壁３２に手動で取り付けることができる外部ケーシングであってもよい。
【００２３】
他の代替実施形態において、前フレーム２４は左壁３０に隣接する箇所においてフィルタ媒体１２に摩擦嵌合を提供し得る。例えば一実施形態において、トラック４０ａおよび４０ｂが左壁３０に接近するにつれて、トラック４０ａと４０ｂとの間の距離が減少する。つまり左壁３０に隣接するトラック４０ａと４０ｂとの間で測定した第１の距離は、右壁３２に隣接するトラック４０ａと４０ｂとの間で測定した第２の距離より小さい。第１の距離と第２の距離との間の差は、フィルタ媒体１２の上縁および下縁とのとまり嵌めを提供するために必要であるに過ぎない。先端縁３８が左壁３０に隣接する場合、とまり嵌めは通常フィルタ媒体１２を挿入するおよび取り外すために少量の追加力を必要とする。
【００２４】
代替的には、トラック４０ａおよび４０ｂが左壁３０に接近するにつれてトラック４０ａおよび４０ｂは各々幅が減少してもよく、ここでトラック４０ａおよび４０ｂの幅は画面２０の平面に直交する方向に取られる。トラック４０ａおよび４０ｂの減少幅は、フィルタ媒体１２の前後面とのとまり嵌めも提供する。
【００２５】
図２Ｅおよび２Ｆは図２Ｂの部分２Ｅの拡大図であり、フィルタ媒体１２を前フレーム２４内に固定するさらなる実施形態を図示する。図２Ｅに示すように、トラック４０ａは開口部３４に向かって延びる戻り止め５１を含み得る。フィルタ媒体１２がトラック４０ａおよび４０ｂに沿って摺動する場合、フィルタ媒体１２の上縁は戻り止め５１と接し、フィルタ媒体１２の上縁を圧迫する。これはフィルタ媒体１２に対してトラック４０ａと４０ｂとの間で摩擦嵌合を生じる。同様な配置を底壁２８のトラック４０ｂと共に用いてフィルタ媒体１２の下縁をさらに圧迫し得る。
【００２６】
図２Ｆに示すように、トラック４０ａは開口部３４から離れるように延びるノッチ５２を含み得る。ノッチ５２はフィルタ媒体１２が前フレーム２４内に挿入される場合、フィルタ媒体１２の上縁上に位置する戻り止めを受容可能なトラック４０ａ内の凹部である。フィルタ媒体１２がトラック４０ａおよび４０ｂに沿って摺動すると、フィルタ媒体１２の上縁上の戻り止めがノッチ５２に入る。これはフィルタ媒体１２に対する摩擦嵌合も生じる。フィルタ媒体１２の下縁上に位置する第２の戻り止めと一致するように同様な配置を底壁２８のトラック４０ｂと共に用い得る。
【００２７】
図２Ｇ〜２Ｊは図２Ａ〜２Ｆ（それぞれフィルタ媒体１２ａ、１２ｂ、１２ｃ、および１２ｄとして参照される）の実施形態と共に用いるフィルタ媒体１２の異なる実施形態の正面図である。フィルタ媒体１２ａ、１２ｂ、１２ｃ、および１２ｄは各々先端縁３８および終端縁５３を含み、終端縁５３は先端縁３８と対向する縁部である。
【００２８】
図２Ｇに示すように、フィルタ媒体１２ａは終端縁５３上にタブ５４も含む。フィルタ媒体１２ａがディスプレイ筐体１８のスロット４１内に完全に挿入されると、タブ５４は窪み４８内に延びることになる。これはユーザがフィルタ媒体１２ａをディスプレイ筐体１８から取り外すための把持面を提供する。タブ５４は窪み４８と整列するように中心を外れている。上述したように、これによりユーザは使用時にフィルタ媒体１２ａのどちらの表面がユーザに面していなければならないかを認識することができる。
【００２９】
図２Ｈに示すように、フィルタ媒体１２ｂは終端縁５３上にタブ５４を含むとともに、ディスプレイ筐体１８からのフィルタ媒体１２ｂの取り外しを助ける先端縁３８上のタブ５５も含む。タブ５４は図２Ｇで上述したように機能する。しかしタブ５５は左壁３０内に配置された第２の窪み（図２Ｂに図示せず）ともに用い得る。第２の窪みおよびタブ５５により、ユーザはタブ５５を開口部３４に向かう方向に押圧することによってフィルタ媒体１２ｂを前フレーム２４から取り除くことができる。これはフィルタ媒体１２ｂを同一方向に移動させる。フィルタ媒体１２ｂの移動はフィルタフレーム１２ｂの終端縁５３をスロット４１から押し出し、ユーザに把持を提供する。タブ５４およびタブ５５は互いに対して垂直方向に位置ずれしているため、ユーザは使用時にフィルタ媒体１２ｂのどちらの表面がユーザに面していなければならないかを認識することができる。
【００３０】
図２Ｉに示すように、フィルタ媒体１２ｃは終端縁５３上のタブ５４と、終端縁５３に隣接する下隅に位置するノッチ５６とを含む。タブ５４は図２Ｇで上述したように機能する。ノッチ５６によりフィルタ媒体１２ｃは、図２Ｃで上述したような段差５０を有する前フレーム２４内に固定することができる。フィルタ媒体１２ｃが前フレーム２４内に完全に挿入されると、ノッチ５６は段差５０およびスロット４１の下縁４６ｂと整列している。これにより終端縁５３に隣接するフィルタ媒体１２ｃの一部分はスロット４１内に残り、上述したようにフィルタ媒体１２ｃを取り外することが可能である。
【００３１】
図２Ｊに示すように、フィルタ媒体１２ｄは終端縁５３上のタブ５４と、先端縁３８に隣接するフィルタ媒体１２ｄの上下縁上に位置する戻り止め５７とを含む。タブ５４は図２Ｇで上述したように機能する。戻り止め５７は図２Ｆで上述したように、フィルタ媒体１２ｄとトラック４０ａおよび４０ｂのノッチ５２との間の摩擦嵌合を提供する。これはフィルタ媒体１２に摩擦嵌合を提供するとともに、フィルタ媒体１２が前フレーム２４内に完全に挿入された時を確認する。
【００３２】
図３Ａは本開示の例示的実施形態により構成されたディスプレイ１６を含むノートブックコンピュータ１０の正面斜視図であり、前フレーム２４の頂壁２６を介して挿入されているフィルタ媒体１２を示す。これは方向矢印５８により示されている。図示のように、フィルタ媒体１２は、フィルタ媒体１２が画面２０の前に配置されるまで頂壁２６を介して開口部３４内に摺動する先端縁６０を含む。この実施形態において、フィルタ媒体１２は図２Ａの側方挿入実施形態に対して上述した方法と同様に前フレーム２４内に取り外し可能に保持される。側方挿入実施形態とは対照的に、本実施形態はノートブックコンピュータ１０を閉じるための係止機構（図示せず）がディスプレイ筐体１８の左壁３０および／または右壁３２上に位置する場合に有用である。
【００３３】
図３Ｂはディスプレイ１６の上面斜視図であり、図３Ａの例示的実施形態をさらに図示する。図示のように、前フレーム２４はトラック６２ａ〜６２ｃとスロット６４を含み、そのすべてが前フレーム２４、後筐体部分２２内、または後筐体部分２２と前フレーム２４との間に一体に形成されている。ディスプレイ筐体１８は、フィルタ媒体１２を取り外すための窪み４８と同様に機能する窪み６６も含む。トラック６２ａ〜６２ｃは開口部３４内でそれぞれ底壁２８、左壁３０、および右壁３２の内周に沿って延びている（トラック６２ｃは仮想線により示されている）。前フレーム２４の頂壁２６は開口部３４に隣接する前面６８と、後筐体部分２２に隣接する側面７０とを含む。スロット６４は側面７０から頂壁２６を通って開口部３４内に延びている。スロット６４はトラック６２ｂと整列している左端７２ａおよびトラック６２ｃと整列している右端７２ｂを含む。
【００３４】
フィルタ媒体１２は方向矢印５８に沿った方向を除いて、図２Ａ〜２Ｊの側方挿入実施形態に対して上述したものと同様にスロット６４内に挿入されるとともに取り外し可能に保持され得る。フィルタ媒体１２が前フレーム２４内に完全に挿入されると、フィルタ媒体１２はディスプレイ筐体１８の一部として見え、ディスプレイ１６の美的品質を保つ。
【００３５】
図４Ａは本開示の他の例示的実施形態により構成されたディスプレイ１６を含むノートブックコンピュータ１０の正面斜視図であり、それぞれ前フレーム２４の左壁３０および右壁３２から延びるガイドレール７４および７６中に挿入されているフィルタ媒体１２を示す。フィルタ媒体１２の挿入方向は方向矢印７８により示されている。本実施形態において、フィルタ媒体１２は、最初は画面２０に対してある角度で前フレーム２４に供給される。そしてフィルタ媒体１２は、画面２０と実質的に平行な方向にフィルタ媒体１２を供給するように、屈曲される。これはフィルタ媒体１２が画面２０に対してある角度で前フレーム２４に供給する必要がない上述した先の実施形態とは異なる。しかし本実施形態はフィルタ媒体１２を前フレーム２４の前に取り外し可能に保持することができるため、フィルタ媒体１２を必要に応じて取り外すおよび挿入することができるとともに、多数のフィルタ媒体をディスプレイ１６と交換可能に用いることができる。
【００３６】
図４Ｂはディスプレイ１６の正面斜視図であり、図４Ａの実施形態をさらに図示する。図示のように、前フレーム２４はガイドレール７４および７６と受容レール８０とを含み、そのすべてが前フレーム２４と一体に形成され得る。底壁２８は前面８１を含み、左壁３０は前面８２を含み、さらに右壁３２は前面８４を含む。ガイドレール７４は上端８６ａと下端８６ｂとを含むとともに、上端８６ａと下端８６ｂとの間で左壁３０の前面８２に沿って実質的に平行に延びている。同様に、ガイドレール７６は上端８８ａと下端８８ｂとを含むとともに、上端８８ａと下端８８ｂとの間で右壁３２の前面８４に沿って実質的に平行に延びている。受容レール８０は左端９０ａと右端９０ｂとを含むとともに、左端９０ａと右端９０ｂとの間で底壁２８に沿って実質的に平行な状態に延びている。
【００３７】
フィルタ媒体１２は、フィルタ媒体１２の前隅をガイドレール７４および７６内に挿入することにより前フレーム２４内に挿入される。このように左壁３０に隣接するフィルタ媒体１２の前隅は、上端８６ａにおけるガイドレール７４と左壁３０の面８２の一部分と間に摺動する。同様に、右壁３２に隣接するフィルタ媒体１２の前隅は上端８８ａにおけるガイドレール７６と右壁３２の面８４の一部分と間に摺動する。そしてフィルタ媒体１２はフィルタ媒体１２の前隅が、ガイドレール７４が底壁２８の寸前で止まる下端８６ｂおよび８８ｂを出るまで、ガイドレール７４および７６を下方に摺動する。ガイドレール７４が底壁２８に向かって全体に延びている、または底壁２８と一体に形成されている場合、フィルタ媒体１２の前隅は下端８６ｂおよび８８ｂの下方に保持される。ガイドレール７４および７６は、下端８６ｂおよび８８ｂにおいてガイドレール７４および７６を出る場合、または下端８６ｂおよび８８ｂの下方に保持される場合、フィルタ媒体１２が画面２０と実質的に平行であるようにフィルタ媒体１２を保持する。フィルタ媒体１２は受容レール８０に到達して進入すると前フレーム２４内に完全に挿入される。このような場合、フィルタ媒体１２は受容レール８０の下であって画面２０の上方で摺動する。フィルタ媒体１２が前フレーム２４内に完全に挿入されると、フィルタ媒体１２はディスプレイ筐体１８の一部として見える。
【００３８】
ガイドレール７４および７６ならびに受容レール８０は代替的には図４Ｂに示したものとは異なる長さを有し得る。例えばガイドレール７４および７６は各々頂壁２６と底壁２８との間に延びる任意の適当な長さを有し得る。同様に、受容レール８０は左壁３０と右壁３２との間に延びる任意の適当な長さを有し得る。１つの特定な実施形態において上記したように、ガイドレール７４は左壁３０の全体内周にほぼ沿って延び、ガイドレール７６は右壁３２の全体内周にほぼ沿って延び、さらに受容レール８０は底壁２８の全体内周にほぼ沿って延び得る。この場合ガイドレール７４および７６は開口部３４の下隅において受容レール８０と接続する。これは図３Ａおよび３Ｂで上述した実施形態におけるトラック６２ａ〜６２ｃと同様な一組のトラックを生じる。しかし本実施形態ではフィルタ媒体１２は頂壁２６において取り外しのため露出された状態である。
【００３９】
頂壁２６における露出部を隠すため、フィルタ媒体１２はフィルタ媒体１２の上縁に沿ったフレーム部を含み得るが、ここでフレーム部は前フレーム２４と美的に一致する。フィルタ媒体１２が図４Ａおよび４Ｂで上述したように前フレーム２４内に完全に挿入されると、フィルタ媒体１２の上縁に沿ったフレーム部は頂壁２６にわたって延びる。これは頂壁２６に対して一体外観を生じるとともにフィルタ媒体１２の上縁を隠す。
【００４０】
図４Ｇは前フレーム２４ｇの壁３０ｇから延びるガイドレール７４ｇの上部およびフィルタ媒体１２ｇの一部分の例示的実施形態の部分断面図である。ガイドレール７４ｇ下のフィルタ媒体１２ｇの挿入方向は方向矢印７８ｇにより示されている。本実施形態において、フィルタ媒体１２ｇは最初に画面２０に対してある角度で開口１７４内に供給される。開口１７４は傾斜壁１７４ａと対向傾斜壁１７４ｂとを有し、傾斜壁１７４ａおよび対向傾斜壁１７４ｂは壁１７４ａと１７４ｂとの間の距離が矢印７８ｇの方向に減少して、フィルタ媒体１２ｇの挿入をより容易にするための２次元じょうごを形成するように構成され得る。フィルタ媒体はフィルタ媒体１２ｇの上部に取り付けられたまたは構成する上フレーム部１２２を含み得る。いくつかの例示的実施形態において、上フレーム部１２２の側部１２２ａおよび１２２ｂは開口１７４内にぴったりと適合するような大きさであるとともに構成されている。上フレーム部１２２の外端１２２ｃは実質的に平面を形成するような大きさであるとともに構成されており、フィルタ媒体がガイドレール７４ｇの下に完全に挿入された場合その平面が前フレーム２４ｇの前面８２ｇに平行であることが好ましい。
【００４１】
図４Ｃ〜４Ｅは図４Ｂの部分４Ｃ−４Ｃの断面図であり、フィルタ媒体１２を左壁３０のガイドレール７４内に挿入するための他の例示的実施形態を図示する。図４Ｃ〜４Ｅの説明はガイドレール７４および左壁３０に焦点を当てているが、説明はガイドレール７６および右壁３２に、ならびに受容レール８０および底壁２８にも同等に当てはまる。図４Ｃは図４Ｂに説明した実施形態をさらに図示するとともに、ガイドレール７４と左壁３０の一部分８２との間に取り外し可能に保持されたフィルタ媒体１２を示す。このようにフィルタ媒体１２は使用中画面２０の出力をフィルタ処理するために画面２０の前面に近接して配置される。
【００４２】
図４Ｄは図４Ｃに示したものの代替実施形態を図示し、ガイドレール７４はヒンジ９１によって左壁３０に枢着されている。ヒンジ９１は方向矢印９２によって示すようにガイドレール７４を枢動開閉可能にする、一体ヒンジまたは従来のヒンジであり得る。これによりフィルタ媒体１２を頂壁２６から摺動することなく、フィルタ媒体１２を前フレーム２４内に挿入することができる。その代わりに、ユーザは単にガイドレール７４および７６を開閉するだけでフィルタ媒体１２を挿入および取り外し得る。
【００４３】
図４Ｅは図４Ｃに示したものに対する他の代替実施形態を図示し、左壁３０は図４Ｃに示した部分８２を含まない。底壁２８および右壁３２はそれぞれ前面８１および８４を含まない。このように、フィルタ媒体１２は画面２０とガイドレール７４との間に直接挿入され得る。これはフィルタ媒体１２を画面２０に対して近接して配置するとともに、画面２０に近接配置した場合により効果的なフィルタ媒体と共に用いるのに有益である。
【００４４】
図４Ｆはディスプレイ１６の正面斜視図であり、ガイドレール７４および７６の他の代替実施形態を図示する。図示のように、前フレーム２４はヒンジ連結レール部９３および９４も含み、レール部９３および９４はそれぞれ上端８６ａおよび８８ａでガイドレール７４および７６に枢着されている。ヒンジ連結レール９３および９４は開閉可能であり、フィルタ媒体１２をガイドレール７４および７６内に挿入するためのアクセスを提供する。フィルタ媒体１２を挿入するためには図４Ｂで上述したように、ヒンジ連結レール部９３および９４を開放してフィルタ媒体１２をガイドレール７４および７６内に挿入する。フィルタ媒体１２が完全に挿入されると、ヒンジ連結レール９３および９４は閉じられて、フィルタ媒体１２を前フレーム２４内に固定するとともにより一体的外観を提供する。ヒンジ連結部分９３および９４は一体ヒンジであり得る。いくつかの例示的実施形態において、ヒンジ連結部分９３および９４は頂壁２６まで全体に延びることができるため、端８８ａおよび８８ｂは頂壁２６に隣接して配置される。他の例示的実施形態において、ヒンジ連結部分９３および９４は頂壁２６と重複して延びることができるため、端８８ａおよび８８ｂを頂壁２６の一部分の下に配置することができる。
【００４５】
図５は本開示により構成された他の例示的ディスプレイ１６を含むノートブックコンピュータ１０の正面斜視図であり、前フレーム２４のタブ９５の下または背後に挿入されたフィルタ媒体１２を示す。タブ９５は前フレーム２４と一体に形成されているとともに、前フレーム２４の内周の中心部および隅部から開口部３４内に延びている。本実施形態は代替的にはフィルタ媒体１２を前フレーム２４内に保持するための異なる数のタブを含む。
【００４６】
まずフィルタ媒体１２を底壁２８に沿ってタブ９５の背後に挿入することにより、フィルタ媒体１２を前フレーム２４内に挿入し得る。そしてフィルタ媒体１２の残りの部分を画面２０に実質的に平行に配置し得る。そしてフィルタ媒体１２の残りの縁部をタブ９５の背後に押圧する。完全に挿入されるとフィルタ媒体１２は前フレーム２４の前縁部と画面２０との間に配置される。本実施形態はフィルタ媒体１２を前フレーム２４内に取り外し可能に保持することもできる。
【００４７】
図６は本開示による他の例示的敵ディスプレイを含むノートブックコンピュータ１０の正面斜視図であり、前フレーム２４のノッチ９６内に挿入されているフィルタ媒体１２を示す。ノッチ９６は頂壁２６および底壁２８に隣接して前フレーム２４の左壁３０および右壁３２内に延びている。フィルタ媒体１２はフィルタ媒体１２が挿入された場合ノッチ９６と整列している対応タブ９７を含む。図６にさらに示すように、フィルタ媒体１２はフィルタ媒体１２の上面上に凹部９８も含む。凹部９８はフィルタ媒体１２を前フレーム２４から取り外すための把持縁を提供する。いくつかの例示的実施形態において、フィルタ媒体縁へのアクセスのために窪みを前フレーム内に設け得る。
【００４８】
フィルタ媒体１２を中心箇所で屈曲してタブを画面２０に対してある角度に９７を配向することによりフィルタ媒体１２を挿入し得る。その後タブ９７をノッチ９６内に押す入力する。そしてフィルタ媒体１２を画面２０の形状に追随するように調整する。これはフィルタ媒体１２を画面２０と共に使用するために前フレーム２４の開口部３４内に位置決めする。前の例示的実施形態と同様に、本実施形態はフィルタ媒体１２を前フレーム２４内に取り外し可能に保持することができる。
【００４９】
図７Ａはノートブックコンピュータ１０の正面斜視図であり、前フレーム２４に接続されたフレームインサート１００を示し、フレームインサート１００はフィルタ媒体１２を固定的に保持する。フィルタ媒体１２は様々な従来の方法（例えば固定具、接着剤および熱シーリング）でフレームインサート１００内に固定的に保持され得る。フレームインサート１００をフィルタ媒体１２と共に使用することは、フィルタ媒体１２を取り外す場合例えばテーブルトップと接しないようにすることができるとともに、フィルタ媒体１２が染みを付けられないまたは別の方法で汚されないようにするハンドリング面を提供する。フレームインサート１００は、使用中にフレームインサート１００を前フレーム２４に取り付けることができる一方で、フレームインサート１００を容易に取り外し可能にする多様な方法で前フレーム２４に取り外し可能に接続され得る。
【００５０】
本実施形態によりフレームインサート１００をディスプレイ筐体１８と共に用いる、または必要に応じて用いない、あるいは異なるフレームインサートに対して交換可能に用いることができる。後者の場合、異なるフィルタ媒体１２をノートブックコンピュータ１０の例示的ディスプレイ１６と共に交換可能に用い得る。
【００５１】
フレームインサート１００を前フレーム２４に取り外し可能に接続する適当な機構の例には、係止機構、摩擦拘束部、ラッチ機構、およびそれらの組み合わせがある。適当な係止機構の例には、磁気コンタクト、再剥離性接着剤、および取り外し可能固定具がある。適当な摩擦拘束部の例にはフレームインサート１００の外周上に位置するおよび／または前フレーム２４の内周上に位置する戻り止めがある。
【００５２】
代替実施形態において、フレームインサート１００はフィルタ媒体１２の厚さに厳密に一致する薄い縁であり得る。このような配置において、フレームインサート１００は、図２Ａ〜４Ｆで上述した実施形態に従うディスプレイ筐体１８内に摺動可能である。このように、フレームインサート１００は（フィルタ媒体１２が内部に保持された状態で）スロット（例えばスロット４１および６４）内に且つガイドレール（例えばガイドレール７４および７６）に沿って摺動し、フィルタ媒体１２を画面２０の前に配置する。フレームインサート１００はフィルタ媒体１２の剛性を増すとともに、ユーザがフィルタ媒体１２の表面に染みを付けたりまたは別の方法で汚さないように把持面も提供する。
【００５３】
図７Ｂはフィルタ媒体１２が内部に固定されたフレームインサート１００の正面斜視図であり、フレームインサート１００を前フレーム２４に取り外し可能に接続する適当な係止機構の例を図示する。図示のように、フレームインサート１００は前面１０２と、上縁１０４と、下縁１０６と、クリンプ部１０８および１１０と、可撓性タブ１１２と、挿入タブ１１４とを含む。クリンプ部１０８および１１０は前面１０２の一体部であり、フィルタ媒体１２を保持するようにそれぞれ上縁１０４および下縁１０６において折り重ねられている。可撓性タブ１１２はフレームインサート１００の上縁１０４から延びる半剛性タブである。挿入タブ１１４はフレームインサート１００の下縁１０６から延びる剛性部材である。可撓性タブ１１２および挿入タブ１１４はフレーム媒体１００を前フレーム２４へ取り外し可能に接続する機構である。
【００５４】
図７Ｃは前フレーム２４の側面断面図であり、画面２０の前で前フレーム２４内に保持されたフレームインサート１００を示している。図示のように、前フレーム２４は上ノッチ１１６と下ノッチ１１８とを含む。上ノッチ１１６は頂壁２６と画面２０との間に延びるキャビティである。下ノッチ１１８は底壁２８の２つの部材間に延びる第２のキャビティである。フレームインサート１００を画面２０に対してある角度に配置するとともに、挿入タブ１１４を下ノッチ１１８内に挿入することにより、フレームインサート１００は前フレーム２４内に挿入され得る。そして可撓性タブ１１２が頂壁２６に接するまで、フレームインサート１００の上縁１０４は画面２０に向かって押圧され得る。その後追加量の力がかけられて可撓性タブ１１２を上ノッチ１１６内に挿入し得る。そしてフレームインサート１００は前フレーム２４内に取り外し可能に保持される。フレームインサート１００を取り外すためには、ユーザは可撓性タブ１１２を引っ張って可撓性タブ１１２を上ノッチ１１６から取り除けばよい。するとフレームインサート１００を容易に取り外し得る。
【００５５】
図７Ｄはフレームインサートを正しい位置に有する図７Ａの部分７Ｄ−７Ｄの断面図であり、前フレーム２４およびフレームインサート１００用の代替設計を図示する。図示のように、前フレーム２４の左壁３０はテーパ縁１２０を有するとともに、フレームインサート１００は対応するテーパ縁１２２を有する。フレームインサート１００が前フレーム２４に接続されると、テーパ縁１２０および１２２は整列して左壁３０とフレームインサート１００との間の間隙を隠す。同様な配置をフレームインサート１００の残りの外縁ならびに前フレーム２４の頂壁２６、底壁２８、右壁３２の内縁に沿って用い得る。これによりディスプレイ筐体１８の美的品質を保つとともに、前フレーム２４とフレームインサート１００との間に適度な摩擦嵌合を生じる。さらに前フレーム２４のテーパ縁（例えばテーパ縁１２０）はフレームインサート１００に対して、フレームインサート１００を前フレーム２４内に挿入するために必要な位置合わせ精度を低減する広い入口を提供する。
【００５６】
図８は本開示により構成された例示的ディスプレイ１６を含むノートブックコンピュータ１０の正面斜視図であり、前フレーム２４の右壁３２を介して挿入されている多数のフィルタ媒体を示す。画面２０の前にフィルタ媒体１２を受容するとともに保持するための上述した保持要素は、単一のフィルタ媒体１２と共に用いて表示されている。しかし保持要素は多数のフィルタ媒体を受容するとともに保持するための寸法も示し得る。図８はこの例を図示する。図示のように、３つのフィルタ媒体（すなわちフィルタ媒体１２、１２’および１２”）が、フィルタ媒体１２に対して図２Ａおよび２Ｂで上述したものと同様にスロット４１内に取り外し可能に挿入される。これにより３つのフィルタ媒体は画面２０の出力を同時にフィルタ処理することができる。代替的には、ディスプレイ筐体１８は多数の保持要素（例えば多数のスロット４１）を含み、それらにより多数のフィルタ媒体を同様に画面２０の前に保持することができる。
【００５７】
画面２０の前にフィルタ媒体１２を受容するとともに保持するための上述した保持要素に加えて、コンピュータ基部１４およびディスプレイ筐体１８は、取り外された場合のフィルタ媒体１２または予備のフィルタ媒体を格納するためのさらなる保持要素も含み得る。さらなる保持要素は画面２０の背後の後筐体部分２２に隣接してまたは内部におよび／またはコンピュータ基部１４の内部または下に配置し得る。例えば後筐体部分２２は、画面２０の背後に予備のフィルタ媒体を受容するとともに保持する、スロット４１およびトラック４０ａ〜４０ｃと同様のスロットおよびトラックを含み得る。他の例では、保持要素をコンピュータ基部１４の下面上に配置し得る。さらなる保持要素により、フィルタ媒体１２またはさらなるフィルタ媒体は交換可能な使用に容易に利用可能になる。上述した実施形態のいずれもノートブックコンピュータ１０に適用して、画面２０の背後におよび／またはコンピュータ基部１４にさらなるフィルタ媒体を格納し得る。
【００５８】
例示的ディスプレイ１６がノートブックコンピュータ・ディスプレイとして上記の実施形態に示されているが、本発明をノートブックコンピュータ・ディスプレイに限定しようとするものではなく、任意の視認装置に適用可能である。ディスプレイ１６用の適当な視認装置の例には、テレビジョンディスプレイ、ノートブックコンピュータ・ディスプレイ、デスクトップコンピュータ・ディスプレイ、ハンドヘルドコンピュータ・ディスプレイ、およびフィルタ媒体１２の利用から恩恵を受ける得る任意の他のディスプレイがある。
【００５９】
後筐体部分２２および前フレーム２４は従来のディスプレイ筐体材料、例えばプラスチックおよび金属で作製し得る。上記の保持要素はディスプレイ筐体１８と一体に製造されることが望ましい。しかし本発明の代替実施形態において、保持要素、例えば図４Ｂを参照して上述したガイドレール７４および７６は、前フレーム２４に固定された別体の構成要素であってもよい。保持要素を始めとするディスプレイ筐体１８の構成要素は従来の成形および機械加工技術で製造され得る。
【００６０】
本発明を好適な実施形態を参照して説明したが、当業者には本発明の要旨と範囲とから逸脱することなく形態および細部に変更をなし得ることは理解されよう。
【図面の簡単な説明】
【００６１】
【図１】フィルタ媒体と共に用いる本発明のディスプレイを有するノートブックコンピュータの正面斜視図である。
【図２Ａ】ディスプレイの右壁を介して挿入されているフィルタ媒体を示す、ノートブックコンピュータの正面斜視図である。
【図２Ｂ】図２Ａの実施形態をさらに図示する、ディスプレイの側面斜視図である。
【図２Ｃ】ディスプレイの代替実施形態を示す、図２Ｂ内の部分２Ｃの拡大図である。
【図２Ｄ】ディスプレイの第２の代替実施形態を示す、図２Ｂ内の部分２Ｃの拡大図である。
【図２Ｅ】ディスプレイの第３の代替実施形態を示す、図２Ｂ内の部分２Ｅの拡大図である。
【図２Ｆ】ディスプレイの第４の代替実施形態を示す、図２Ｂ内の部分２Ｅの拡大図である。
【図２Ｇ】フィルタ媒体の代替実施形態の正面図である。
【図２Ｈ】フィルタ媒体の第２の代替実施形態の正面図である。
【図２Ｉ】フィルタ媒体の第３の代替実施形態の正面図である。
【図２Ｊ】フィルタ媒体の第４の代替実施形態の正面図である。
【図３Ａ】ディスプレイの頂壁を介して挿入されているフィルタ媒体を示す、ノートブックコンピュータの正面斜視図である。
【図３Ｂ】図３Ａの実施形態をさらに図示する、ディスプレイの上面斜視図である。
【図４Ａ】ディスプレイのガイドレール中に挿入されているフィルタ媒体を示す、ノートブックコンピュータの正面斜視図である。
【図４Ｂ】図４Ａの実施形態をさらに図示する、ディスプレイの正面斜視図である。
【図４Ｃ】図４Ｂの部分４Ｃ−４Ｃの断面図である。
【図４Ｄ】ディスプレイの他の代替実施形態を示す、図４Ｂの部分４Ｃ−４Ｃの断面図である。
【図４Ｅ】ディスプレイの第２の代替実施形態を示す、図４Ｂの部分４Ｃ−４Ｃの断面図である。
【図４Ｆ】ディスプレイの第３の代替実施形態を示す、ディスプレイの正面斜視図である。
【図４Ｇ】ディスプレイの他の代替実施形態を示す、図４Ｂの部分４Ｇ−４Ｇの断面図である。
【図５】ディスプレイのタブ内に挿入されているフィルタ媒体を示す、ノートブックコンピュータの正面斜視図である。
【図６】ディスプレイのノッチ内に挿入されているフィルタ媒体を示す、ノートブックコンピュータの正面斜視図である。
【図７Ａ】ディスプレイに接続されているフィルタ媒体フレームインサートを示す、ノートブックコンピュータの正面斜視図である。
【図７Ｂ】フィルタ媒体フレームインサートの代替実施形態の正面斜視図である。
【図７Ｃ】ディスプレイに接続されたフィルタ媒体フレームインサートの代替実施形態を示す、ディスプレイの側面断面図である。
【図７Ｄ】図７Ａの部分７Ｄ−７Ｄの断面図である。
【図８】ディスプレイの右壁を介して挿入されている多数のフィルタ媒体を示す、ノートブックコンピュータの正面斜視図である。
【図１】
2008532098.tif 000003
【図２Ａ】
2008532098.tif 000004
【図２Ｂ】
2008532098.tif 000005
【図２Ｃ】
2008532098.tif 000006
【図２Ｄ】
2008532098.tif 000007
【図２Ｅ】
2008532098.tif 000008
【図２Ｆ】
2008532098.tif 000009
【図２Ｇ】
2008532098.tif 000010
【図２Ｈ】
2008532098.tif 000011
【図２Ｉ】
2008532098.tif 000012
【図２Ｊ】
2008532098.tif 000013
【図３Ａ】
2008532098.tif 000014
【図３Ｂ】
2008532098.tif 000015
【図４Ａ】
2008532098.tif 000016
【図４Ｂ】
2008532098.tif 000017
【図４Ｃ】
2008532098.tif 000018
【図４Ｄ】
2008532098.tif 000019
【図４Ｅ】
2008532098.tif 000020
【図４Ｆ】
2008532098.tif 000021
【図４Ｇ】
2008532098.tif 000022
【図５】
2008532098.tif 000023
【図６】
2008532098.tif 000024
【図７Ａ】
2008532098.tif 000025
【図７Ｂ】
2008532098.tif 000026
【図７Ｃ】
2008532098.tif 000027
【図７Ｄ】
2008532098.tif 000028
【図８】
2008532098.tif 000029
【国際調査報告】
2008532098.tif 000030
2008532098.tif 000031
2008532098.tif 000032
2008532098.tif 000033
2008532098.tif 000034